(57)【要約】【課題】交換が容易であるが転送レートが比較的遅い蓄積媒体に、ハイビジョン番組などの転送レートが速い番組を２番組同時に記録することができるデジタル放送受信蓄積装置を提供する。【解決手段】すくなくとも１つの入力データを一旦ＨＤＤに蓄積し、然る後にＨＤＤから入力時とは異なる速度で再生してから光ディスク装置などの転送レートが遅い蓄積媒体に記録することで、見かけ上同時に２つの番組を記録することができる。【選択図】  図１
2004328295.tif 000002
【特許請求の範囲】
【請求項１】
デジタル化された映像および音声データを入力する入力手段と、
前記入力手段に入力されたデータを蓄積および再生する蓄積手段１および蓄積手段２と、
前記蓄積手段１および蓄積手段２へのデータの入出力を制御する蓄積手段コントローラと、
前記蓄積手段１および蓄積手段２の出力データを復号し映像および音声を出力する復号手段と、を備え、
前記蓄積手段コントローラは、同時に第１および第２の２系統のデータが入力されたとき、第１の入力データは入力されたレートで前記蓄積手段１に記録し、第２の入力データは前記蓄積手段２に記録した後、記録時とは異なるレートで前記蓄積手段２を再生して前記蓄積手段１に前記第１の入力データの記録と並行して記録することを特徴とする蓄積再生装置。
【請求項２】
デジタル化された映像および音声データを入力する入力手段と、
前記入力手段に入力されたデータを蓄積および再生する蓄積手段１および蓄積手段２と、
前記蓄積手段１および蓄積手段２へのデータの入出力を制御する蓄積手段コントローラと、
前記蓄積手段１および蓄積手段２の出力データを復号し映像および音声を出力する復号手段と、を備え、
前記蓄積手段コントローラは、同時に２つ以上系統のデータが入力されたとき、少なくとも１つの入力データは入力されたレートで前記蓄積手段１に記録し、少なくとも他の一つの入力データは、前記蓄積手段２に記録した後、記録時とは異なるレートで再生し、該再生したデータを前記蓄積手段１に他の入力データの記録と並行して記録することを特徴とする蓄積再生装置。
【請求項３】
請求項１または２において、前記蓄積手段コントローラは、データ記録中に前記蓄積手段１に直接記録するデータと一旦前記蓄積手段２に記録してから再生して蓄積手段１に記録するデータとを入れ替えることを特徴とする蓄積再生装置。
【請求項４】
請求項１または２において、前記蓄積手段コントローラは、一旦前記蓄積手段２に記録してから再生する際の再生速度および再生したデータの前記蓄積手段１への記録速度を記録中に変更することを特徴とする蓄積再生装置。
【請求項５】
デジタル化された映像および音声データを入力する入力手段と、
前記入力手段に入力されたデータを蓄積および再生する蓄積手段１および蓄積手段２と、
前記蓄積手段１および蓄積手段２へのデータの入出力を制御する蓄積手段コントローラと、
前記蓄積手段１および蓄積手段２の出力データを復号し映像および音声を出力する復号手段と、を備え、
前記蓄積手段コントローラは、同時に第１および第２の２系統のデータが入力されたとき、前記第１および第２の入力データを前記蓄積手段２に記録した後、入力時とは異なるレートで前記第１および第２の２つのデータを並行して再生し、再生したデータを前記蓄積手段１に並行して記録することを特徴とする蓄積再生装置。
【請求項６】
請求項５において、前記蓄積手段コントローラは、一旦前記蓄積手段２に記録してから再生する際の再生速度を入力される２つのデータの各々のデータ時間長に基づいて設定することを特徴とするデジタル放送受信蓄積再生装置。
【発明の詳細な説明】
【０００１】
【発明の属する技術分野】
本発明は信蓄積再生装置に関するものであり、特にデジタル放送で受信した番組データを蓄積手段に蓄積し再生する際の、蓄積・再生データ処理方法に関するものである。
【０００２】
【従来の技術】
近年、デジタル放送の普及が急速に進み、通信衛星によるＣＳデジタル放送に続いて放送衛星を利用したＢＳデジタル放送のサービスも行われるようになった。また、今後地上波を使ったデジタル放送サービスも予定されており、デジタル放送を通じて多種多様なコンテンツを視聴することができるようになりつつある。デジタル放送では番組データを圧縮しデジタル化することから、従来はＰＣ（Ｐｅｒｓｏｎａｌ  Ｃｏｍｐｕｔｅｒ）で用いられていたデジタルデータ蓄積媒体であるハードディスク装置（以下ＨＤＤと略記する）などに番組を蓄積することが可能になっている。また、光ディスク技術の急速な進展により大容量の光ディスクに転送レートの高いデジタル放送のハイビジョン番組を直接記録することが可能になっている。
【０００３】
上記ＨＤＤは大容量でありかつアクセス速度が速いことから２つの番組データを並行して記録することで見かけ上同時に記録したり、記録と再生を見かけ上同時に行ういわゆるタイムシフト再生ができる等使い勝手が良いという特徴がある一方、価格が高くまた構造的にも手軽には媒体の交換が出来ない。光ディスク装置は媒体の価格が安く交換も容易であるが、ＨＤＤほどのアクセス速度はない。最新の光ディスクであるＢｌｕｅ−ｒａｙ  Ｄｉｓｃの場合で３６Ｍｂｐｓであり、１番組で２４Ｍｂｐｓ程度と転送レートの高いハイビジョン番組の２番組同時記録やタイムシフト再生等には対応できない。ここで、ユーザの要求として交換が容易な媒体に所望の番組をリアルタイムで記録して保存し、ライブラリ化したいという要求は根強くあるが、このままではＨＤＤと同等の使い勝手と前記ライブラリ化の要求を同時に満たすことは困難である。
【０００４】
上記に関し、光ディスク装置への記録について、例えば、特許文献１に、入力されたデジタル放送信号のビットレートを変換する変換手段と、この変換手段におけるビットレートの変換量を制御する制御手段と、変換されたビットレートでデジタル放送信号を記録媒体に記録する記録手段を備え、ビットレートを変更することによって、入力されたデジタル放送信号を記録媒体に確実に記録する方法が記載されている。これによりビットレートを低く変換して記録することによりＨＤＤと同様に２番組同時記録などを可能にする方法が考えられる。
【０００５】
【特許文献１】
特開２０００−３１１４４１号公報
【０００６】
【発明が解決しようとする課題】
上記特許文献１（特開２０００−３１１４４１号公報）における記録方法においては、ビットレート変換により画質が劣化する点に関しては考慮されておらず、例えば光ディスクにハイビジョン番組を２番組同時に記録したいなどといった要求に応えるためには、記録される番組映像の相当の画質劣化が避けられない点に関しては考慮されていなかった。
【０００７】
本発明は、上記問題に鑑み、光ディスクなどの転送レートがＨＤＤほど速くない蓄積手段記録する場合であっても画質を劣化させずに２番組を同時に記録することができるデジタル放送受信蓄積再生装置を提供することを目的とする。
【０００８】
【課題を解決するための手段】
本発明は、デジタル化された映像および音声データを入力する入力手段と、前記入力手段に入力されたデータを蓄積および再生する蓄積手段１および蓄積手段２と、前記蓄積手段１および蓄積手段２へのデータの入出力を制御する蓄積手段コントローラと、前記蓄積手段１および蓄積手段２の出力データを復号し映像および音声を出力する復号手段と、を備え、前記蓄積手段コントローラは、同時に第１および第２の２系統のデータが入力されたとき、第１の入力データは入力されたレートで前記蓄積手段１に記録し、第２の入力データは前記蓄積手段２に記録した後、記録時とは異なるレートで前記蓄積手段２を再生して前記蓄積手段１に前記第１の入力データの記録と並行して記録する構成としたので、転送速度が限られた蓄積手段に対しても画質を劣化させずに２番組を同時に記録することができる。
【０００９】
また、２入力以上の入力データの経路を制御して直接前記蓄積手段１に記録し、あるいは一旦前記蓄積手段２に記録し、然る後、記録時とは異なる速度で再生し、該再生したデータを前記蓄積手段１に記録することで更に多くの番組の同時記録を行うことができるようにした。
【００１０】
また、データ記録中に前記蓄積手段１に直接記録するデータと一旦前記蓄積手段２に記録してから再生して蓄積手段１に記録するデータとを入れ替えることができるようにした。これにより、視聴者の希望の操作にあわせて柔軟に蓄積と再生を行うことができるようにした。
【００１１】
【発明の実施の形態】
本発明によるデジタル放送受信蓄積再生装置の実施例を図面を用いて説明する。図１は本発明によるデジタル放送受信蓄積再生装置の実施例を示す図である。
【００１２】
図１において、１０、１１はパケット化され多重されたストリームデータの入力端子、２０は入力ストリームデータから指定されたパケットを分離するデマルチプレクサ、３０は符号化された映像・音声を復号するデコーダ、４０は復号された映像信号の拡大，縮小などの処理を行いあるいは映像信号にＯＳＤ（Ｏｎ  Ｓｃｒｅｅｎ  Ｄｉｓｐｌａｙ）を重畳するグラフィック処理手段、５０はグラフィック処理を施した映像信号の出力端子、６０は復号した音声信号の出力端子、７０は後述の蓄積手段のデータ入出力を制御する蓄積手段コントローラ、８０は第１の蓄積手段、９０は第２の蓄積手段、１００はユーザがリモコン（図示せず）などによりデジタル放送受信蓄積再生装置にコマンドを入力するコマンド入力端子、１１０は図１のデジタル放送受信蓄積再生装置全体を制御する制御手段、である。また、デマルチプレクサ２０、制御手段１１０、蓄積手段コントローラ７０、デコーダ３０、グラフィック処理手段４０は、図示しない制御バスを介してデータや制御コマンドをやり取りするものである。
【００１３】
図１において、ストリームデータ入力端子１０あるいはストリームデータ入力端子１１から入力されたデータは、デマルチプレクサ２０に入力される。デマルチプレクサ２０は１つで複数の入力データを処理することができるもの、あるいは複数のパケット分離手段から構成されるものとする。本実施例で説明する入力データは、デジタル放送を受信して得られる番組の映像データ、音声データ、データ放送のデータ、及び受信機の動作制御等に用いるための各種データ等がパケット単位で多重されたものである。前記入力データの一例を図２に示す。図２において、１２はＩＳＯ／ＩＥＣ１３８１８−１（通称ＭＰＥＧ２システム規格）におけるトランスポートストリーム（以下ＴＳと略記する）であり、選局などに用いるデータであるＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、および受信したテレビ番組を構成する映像１、音声１、映像２、音声２などのパケットが多重されたものである。
【００１４】
図３に番組選択手順を示し、番組選択の動作について説明する。最初のステップでユーザがリモコンなどで番組を選択すると、対応するコマンドがコマンド入力端子１００から制御手段１１０に入力される。次のステップでは、制御手段１１０はデマルチプレクサ２０を制御してＰＡＴの情報を分離させ、制御手段１１０に転送させる。ＰＡＴには入力されたストリームに含まれるＰＭＴの識別情報（Ｐａｃｋｅｔ  ＩＤ＝ＰＩＤ）が格納されている。制御手段１１０はＰＡＴを解析することでＰＭＴのＰＩＤを認識し、次のステップでデマルチプレクサ２０を制御してＰＭＴのパケットを分離させ、制御手段１１０に転送させる。ＰＭＴは番組の映像・音声が格納されたパケットのＰＩＤを格納するパケットであり、番組毎に異なるＰＩＤを付与されている。従って、制御手段１１０はユーザが選択した番組に対応するＰＭＴをデマルチプレクサ２０に分離、転送させ、これを解析する。次のステップでは、制御手段１１０はＰＭＴを解析することで得られた情報に従い、デマルチプレクサ２０を制御してユーザが選択した番組の映像および音声のパケットを分離させる。
【００１５】
ここで、分離した番組をそのまま視聴する場合は、分離した情報のうち映像と音声のデータがデコーダ３０に入力される。デコーダ３０は入力された符号化映像データと符号化音声データを復号し、もとの映像信号と音声信号を再生する。デコーダ３０で再生された映像信号は、グラフィック処理手段４０において番組ガイド画面などのＯＳＤを映像信号に重畳されあるいは必要に応じて拡大、縮小などの処理を行った上で映像出力端子６０から出力される。また、デコーダ３０で再生された音声信号は音声信号出力端子５０から出力される。
【００１６】
ユーザが選択した番組のデータを蓄積手段８０あるいは９０に蓄積し再生する場合の基本的な動作を次に説明する。番組データを蓄積する場合は、先に説明した再生の場合と違い、映像・音声のパケットだけではなくＰＡＴ、ＰＭＴなどの情報も蓄積する必要がある。これは、蓄積した番組データを再生する際に必要となるからである。尚、蓄積した番組を再生する際には、蓄積しなかった番組に関するデータは不要であり、逆にあるとそのデータに従って番組の選択操作が必要になってしまうため、蓄積するのはユーザが選択した番組の映像・音声に関連する情報だけとする。すなわち、ＮＩＴのように使わない情報は蓄積せず、またＰＡＴ、及びＰＭＴ等の番組関連情報はそのまま蓄積するのではなく、制御手段１１０からデマルチプレクサ２０を制御することで、選択された番組の再生に必要な情報以外は削除するなどしてパケットの内容を書き換えたＴＳを蓄積する。ユーザの操作によって番組の蓄積が指示されると、制御手段１１０はデマルチプレクサ２０を制御して蓄積すべきＴＳを蓄積手段コントローラ７０に出力させる。蓄積手段コントローラ７０は、入力されたＴＳに対し、再生時に正しい時刻に再生できるように各パケットに時刻情報（タイムスタンプ）を付加して記録する。タイムスタンプを付加したパケットデータの一例を図４に示す。図４の例ではパケットデータの前にタイムスタンプを付加しているが、これは後ろに付加してもかまわない。蓄積手段コントローラ７０は、図４に示したようなタイムスタンプを付加したＴＳを蓄積手段８０あるいは蓄積手段９０に蓄積する。ここで、制御手段１１０は、蓄積手段８０あるいは蓄積手段９０に記録した番組のデータ量や記録した領域の蓄積手段８０あるいは蓄積手段９０上の位置および番組に関する情報すなわち番組名や受信した日時などを番組指定データとして蓄積手段８０あるいは蓄積手段９０の前記番組データとは異なる領域に記録する。さらに蓄積手段８０あるいは蓄積手段９０の管理データとして、蓄積手段８０あるいは蓄積手段９０に記録されたデータが蓄積手段８０あるいは蓄積手段９０に占める容量や蓄積された番組を再生するときに使用する番組リストなども記録する。尚、上記管理データは必ずしも蓄積手段８０あるいは蓄積手段９０に記録する必要はなく、デジタル放送受信蓄積再生装置が別途例えば十分な記憶容量を有するフラッシュメモリなどの記憶媒体を有している場合はこれに記憶しても良い。
【００１７】
上記のようにして蓄積された番組データを再生する場合の動作を次に説明する。ユーザが蓄積された番組の再生操作を行うと、コマンド入力端子１００から再生コマンドが入力される。制御手段１１０は前記再生コマンドに従い、蓄積手段コントローラ７０を制御して蓄積手段８０あるいは蓄積手段９０から前記番組指定データを読み出させ、内容を解析する。制御手段１１０は解析した内容に従い、指定された番組データが格納された領域などのデータに基づいて蓄積手段コントローラ７０を制御し、蓄積手段８０あるいは蓄積手段９０に蓄積されたデータを読み出させる。読み出された番組データは前述したタイムスタンプのデータに従って、所定のタイミングで蓄積手段コントローラ７０からデマルチプレクサ２０に出力される。デマルチプレクサ２０は、入力された番組データから映像・音声データを分離し、デコーダ６０に転送する。以降の動作は先に説明した再生時の動作と同じである。以上のようにすることで、蓄積手段８０あるいは蓄積手段９０に番組データを蓄積し再生することが出来る。
【００１８】
上記において、本実施例においては蓄積手段８０は光ディスク装置、蓄積手段９０はＨＤＤを想定している。これらに蓄積するデータに何も処理を施していない場合はＰＣなどに接続して蓄積された番組データが不正にコピーして利用されることが考えられる。これに対し、以下に説明する例のようにデータを暗号化して記録する方法がある。データ暗号化機能を付与した場合の蓄積手段コントローラ７０の構成例を図５に示す。７１は入力されたＴＳの各パケットにタイムスタンプを付加するためのタイムスタンプ付加手段、７２は暗号化手段、７３は蓄積手段８０あるいは蓄積手段９０へのデータ入出力を制御するデータ入出力コントローラ、７４は暗号化されたデータの復号を行う暗号復号手段、７５は入力されたデータをタイムスタンプに基づいたタイミング調整を行ってＴＳとして出力するタイミング調整手段、７６０はＲＡＭ（Ｒａｎｄｏｍ  Ａｃｃｅｓｓ  Ｍｅｍｏｒｙ）、７６は上記各ブロックとのデータ入出力を調停しＲＡＭ７６０へのデータ書き込みおよび読み出しを管理するＲＡＭコントローラ、７００は各ブロック間でコマンドやデータの転送を行うためのバスである。尚、図５ではデータに加えてデータの入出力を制御するために、ＲＡＭコントローラ７６と各ブロック間での制御信号のやり取りも行われる。図５の説明で各ブロック間でのデータ転送にＲＡＭコントローラ７６が介在しているのは基本的に独立して動作している各ブロック間のデータ転送タイミングを調停するためである。
【００１９】
データを蓄積手段８０あるいは蓄積手段９０に蓄積する場合について以下説明する。デマルチプレクサ２０あるいはデマルチプレクサ２１から入力されたトランスポートストリームはタイムスタンプ付加手段７１に入力され、例えば図４に示したような形式で各パケットにタイムスタンプを付加されてＲＡＭコントローラ７６に出力される。ＲＡＭコントローラ７６は入力されたデータを一旦ＲＡＭ７６０に格納した後、暗号化手段７２からの要求に従って読み出して出力する。暗号化手段７２は入力されたデータをあらかじめ定められた手順に従って暗号化した後、ＲＡＭコントローラ７６に出力する。ＲＡＭコントローラ７６は入力されたデータを一旦ＲＡＭ７６０に格納する。その後データ入出力コントローラの要求に従ってＲＡＭ７６０に格納したデータを出力する。データ入出力コントローラ７３は入力されたデータを蓄積手段８０あるいは蓄積手段９０に出力して格納させる。上記のようにすることで入力された番組データを暗号化して蓄積することが出来る。
次に、蓄積手段８０あるいは蓄積手段９０に格納したデータを読み出す場合の手順を説明する。バス７００を介して制御手段１１０からデータ再生指示がデータ入出力コントローラ７３に与えられると、データ入出力コントローラ７３は蓄積手段８０あるいは蓄積手段９０を制御して格納されているデータを読み出し、ＲＡＭコントローラ７６に出力しＲＡＭ７６０に格納させる。ＲＡＭコントローラ７６はＲＡＭ７６０に格納したデータを暗号復号手段７４からのデータ転送要求に従い読み出して出力する。暗号復号手段７４は入力された暗号化データをあらかじめ定められた手順に従って復号し、暗号化前のデータに復号してＲＡＭコントローラ７６に出力する。ＲＡＭコントローラ７６は入力されたデータを一旦ＲＡＭ７６０に格納し、タイミング調整手段７５からのデータ転送要求に従ってＲＡＭ７６０から読み出して出力する。タイミング調整手段７５は入力されたデータに付加されているタイムスタンプに従ってタイミングを調整しながら入力されたデータをＴＳの形式で出力する。
【００２０】
上記で説明した構成・動作により、デマルチプレクサ２０から入力されたＴＳを各パケットの時刻情報を管理し、かつ暗号化して蓄積手段８０あるいは蓄積手段９０に格納できる。また、再生時には暗号化されたデータを復号し、タイムスタンプに従ってタイミング調整してデータを出力するので、もとのＴＳを再生することができる。
【００２１】
上記において、デマルチプレクサ２０から複数のハイビジョン番組のトランスポートストリームを光ディスク装置である蓄積手段８０に同時に入力し記録する場合の動作について以下に説明する。尚、デマルチプレクサ２０から蓄積手段コントローラ７０へのデータ転送は図１に示す構成を用いて１系統のデータバスに複数のデータを多重して転送しても良いし、あるいは図６に示すように、２系統のデータバスで接続しても良い。
【００２２】
衛星デジタル放送におけるハイビジョン番組のデータレートは一般に２４Ｍｂｐｓ程度である。ここで、光ディスク装置としてＢｌｕｅ−ｒａｙ  Ｄｉｓｃを用いたとするとデータ転送レートは３６Ｍｂｐｓである。従って２つの入力データを入力されたままのデータレートで蓄積手段８０に記録しようとすると、必要なデータレートは４８Ｍｂｐｓとなり３６Ｍｂｐｓを超えてしまう。すなわち、そのままでは２つの入力データを同時に記録することはできない。そこで、本実施例においては、例えば一方の入力データを入力データＡとすると入力データＡはそのままのデータレートすなわち２４Ｍｂｐｓで光ディスク装置である蓄積手段８０に記録する。そして、もう一方の入力データを入力データＢとすると、入力データＢは一旦ＨＤＤである蓄積手段９０に蓄積する。そして、記録を続行しながら、例えば転送レート１２Ｍｂｐｓで蓄積手段９０から再生し、前述の入力データＡと多重して蓄積手段８０に出力する。上記により、光ディスクである蓄積手段８０に出力されるデータの転送レートは２４Ｍｂｐｓ＋１２Ｍｂｐｓ＝３６Ｍｂｐｓとなり、光ディスク装置である蓄積手段８０のデータ転送レート３６Ｍｂｐｓ以下に抑えることができる。これによりデータ転送レートが限られた蓄積手段８０にデータレートの高いハイビジョン番組を２番組同時に記録することができる。
【００２３】
上記において、ＨＤＤ装置に一旦記録するデータに関しては見かけ上記録と再生を同時に行うことが可能である。ＨＤＤ装置は、その構成にもよるが例えば８０Ｍｂｐｓ程度のデータ転送レートを実現することが可能であるため、２４Ｍｂｐｓ程度のハイビジョン番組の記録と再生を見かけ上同時に行うことができ、更にはハイビジョン番組の記録と再生および上記で説明した再生速度１２Ｍｂｐｓでの再生と合わせて３つのデータ入出力を見かけ上同時に実行できるパフォーマンスがある。従って、光ディスク装置である蓄積手段８０に記録する番組を一旦記録しながら１２Ｍｂｐｓで再生し、更に記録時と同じレートでの再生を見かけ上同時に行うことができるので、いわゆるタイムシフト再生や早送り再生、逆方向再生などの特殊再生が可能である。ここで、ユーザが２つのハイビジョン番組を同時に光ディスク装置である蓄積手段８０に記録しながら、一方の番組を視聴する場合を考える。リアルタイムで視聴する場合であれば所望の番組データをデマルチプレクサ２０からデコーダ３０に直接出力して視聴することができる。一方タイムシフト再生や特殊再生で視聴する場合はＨＤＤである蓄積手段９０に一旦記録しているほうの番組でないと実現できない。すなわちユーザが例えばタイムシフト再生している番組を視聴するのを一旦やめてもう一方の番組をタイムシフト視聴しようとした場合、そのままでは実現できない。この場合は、本実施例においては直接蓄積手段８０に記録する入力データと一旦蓄積手段９０を経由してから転送レートを遅くして読み出している入力データを入れ替えれば良い。すなわち、図５で説明したＲＡＭ７６０とデータ入出力コントローラ７３を制御し、今まで蓄積手段８０に出力していたデータと蓄積手段９０に出力していたデータを入れ替えればよい。これにより蓄積手段８０への２番組同時記録に影響することなくタイムシフト再生する対象の番組を切り替えることができる。
【００２４】
上記において、入力したデータレートのままで記録している番組は番組終了と同時に記録を終えることができるが、ＨＤＤである蓄積手段９０を経由している番組は入力レートよりも遅いレートで記録しているので番組が終了しても記録が続いていることになる。そのため、記録が続行していることを図７の例に示すような画面を図１のグラフィック手段４０を用いてＯＳＤ表示してユーザに通知しても良い。あるいは、制御手段１１０によって制御される告知用ランプ（図示せず）を点灯させるなどして告知しても良い。このようにすることで、使い勝手の良いデジタル放送受信蓄積再生装置を実現することができる。更に、直接光ディスクである蓄積手段８０に直接記録していた番組の記録が終了した場合は、ＨＤＤからの再生速度を速くして例えば３６Ｍｂｐｓとすることができる。このようにすることで高速で番組の記録を終え、あるいは番組が続いている場合はリアルタイムの状態まで追いつくことができる。
【００２５】
上記の説明では、一方の番組は直接光ディスク装置である蓄積手段８０に記録する場合について説明したが、２つの番組の両方とも一旦ＨＤＤである蓄積手段９０に記録してから蓄積手段８０に記録し直しても良い。この場合のデータ転送レートは例えばいずれの番組の転送レートも均等に１８Ｍｂｐｓとしても良いし、あるいは受信時の番組情報に含まれる番組時間の長さに基づいて制御するなどして制御手段１１０の処理によってＨＤＤである蓄積手段９０からの再生速度に差をつけても良い。このようにすることでタイムシフト再生する番組を切り替える場合であっても記録先の蓄積媒体を入れ替えることなく切り替えを行うことができる。
【００２６】
また、上記の説明では２つの番組のデータを同時に扱う場合について説明したが、デマルチプレクサ２０と蓄積手段コントローラ７０を３つ以上の入力データを扱えるようにすることで３つ以上の番組のデータを扱う場合であっても同様な効果を得ることができる。このようにしても基本的な構成が変わるものではなく、同時に扱うデータの数が増えるだけなので３つ以上のデータ処理に対しても同様な処理で実現することができる。
【００２７】
以上の説明においては、光ディスク装置である蓄積手段８０に記録するデータはいずれも放送受信データとした場合を説明した。これに対し、必ずしも放送受信データだけを扱う必要はなく、例えば一つは放送受信データであり、もう一方は既にＨＤＤである蓄積手段９０に記録済みのデータであっても良い。この場合は放送受信データを光ディスク装置である蓄積手段８０に蓄積しながら、ＨＤＤである蓄積手段９０に記録済みのデータを並行して記録することになる。これにより、例えば毎週放送される連続番組を一旦ＨＤＤである蓄積手段９０に蓄積しておき、数週分記録した後にリアルタイムの放送を光ディスク装置である蓄積手段８０に記録しながら、過去にＨＤＤである蓄積手段９０に蓄積した番組データを並行して光ディスク装置である蓄積手段８０に記録することができる。すなわち、記録中であることを気にすることなくＨＤＤである蓄積手段９０のデータを光ディスク装置である蓄積手段８０にコピーしあるいは移動することができる。これにより、ライブラリとしての光ディスクが放送受信番組を記録しながら作成できるなど、使い勝手の良いデジタル放送受信蓄積再生装置を得ることができる。
【００２８】
以上においては、ＨＤＤである蓄積手段９０から再生したデータを光ディスク装置である蓄積手段８０に記録する場合を説明したが、逆に光ディスク装置である蓄積手段８０から再生したデータのＨＤＤである蓄積手段９０への記録を同時並行で行っても良い。すなわち、一方で放送受信データを光ディスク装置である蓄積手段８０に記録しながら、既に光ディスク装置である蓄積手段８０に記録されているデータをトータルの転送レートが光ディスク装置である蓄積手段８０の許容転送レートの範囲内になるように再生してＨＤＤである蓄積手段９０に記録するようにしても良い。
【００２９】
以上で説明したように、本発明によれば放送受信時のトータル転送レートが、処理可能な転送レートを上回る２つ以上のＴＳデータを同時に光ディスクに記録することができるので、２つ以上の番組を記録したい場合であっても、一旦ＨＤＤに全て記録してから改めて光ディスクに転送しなおすといった手間がかからない。更に、転送レートの遅い光ディスクに複数の番組を同時に蓄積する場合であってもハイビジョン番組の２番組同時記録や、タイムシフト再生などの機能が実現できるので、使い勝手の良いデジタル放送受信蓄積再生装置を実現することができる。
【００３０】
また、放送受信データを光ディスクに記録しながら、ＨＤＤに記録されているデータを再生したものを並行して記録し、あるいは光ディスクへの記録と再生を同時に実行することができるので受信データの記録中であることを気にせずに光ディスクとＨＤＤとに記録されているデータの相互移動などの処理を行うことができるので使い勝手を高めることができる。
【００３１】
【発明の効果】
本発明により、ユーザにとって使い勝手の良い蓄積再生装置を提供できる。
【図面の簡単な説明】
【図１】本発明によるデジタル放送受信蓄積再生装置の実施例を示す図である。
【図２】本発明で処理するストリームのパケット配列の例を示す図である。
【図３】本発明によるデジタル放送受信蓄積再生装置の番組選択手順示す図である。
【図４】本発明によるデジタル放送受信蓄積再生装置における蓄積データ形式の一例を示す図である。
【図５】本発明によるデジタル放送受信蓄積再生装置における蓄積手段コントローラの構成例を示す図である。
【図６】本発明によるデジタル放送受信蓄積再生装置の実施例を示す図である。
【図７】本発明によるデジタル放送受信蓄積再生装置の表示画面例を示す図である。
【符号の説明】
１０、１１・・・ストリーム入力端子
２０・・・デマルチプレクサ
３０・・・デコーダ
４０・・・グラフィック処理手段
５０・・・映像信号出力端子
６０・・・音声信号出力端子。
７０・・・蓄積手段コントローラ
７１・・・タイムスタンプ付加手段
７２・・・暗号化手段
７３・・・データ入出力コントローラ
７４・・・暗号復号手段
７５・・・タイミング調整手段
７６・・・ＲＡＭコントローラ
７６０・・・ＲＡＭ
８０、９０・・・蓄積手段
１００・・・コマンド入力端子
１１０・・・制御手段
【図１】
2004328295.tif 000003
【図２】
2004328295.tif 000004
【図３】
2004328295.tif 000005
【図４】
2004328295.tif 000006
【図５】
2004328295.tif 000007
【図６】
2004328295.tif 000008
【図７】
2004328295.tif 000009